(57)【特許請求の範囲】
【請求項１】
建造物の矩形固定枠と該固定枠に固着された窓枠との組み合わせにして、
該窓枠は一対の側部材、上部材及び下部材から構成され、
該一対の側部材、該上部材及び該下部材は該固定枠の内周面に固着され、
該一対の側部材、該上部材及び該下部材は同一の横断面形状を有し、且つ該一対の側部材、該上部材及び該下部材の各々の外側面は全体が連続して延在する単一平面であり、
該一対の側部材、該上部材及び該下部材の各々の該外側面は該固定枠の外側面と面一であり、
該一対の側部材及び該上部材の各々の該外側面は該固定枠の外側面に連続して延在し、
該固定枠の該外側面と該一対の側部材及び該上部材の各々の該外側面には連続して延在する断熱材が配設されている、
ことを特徴とする組み合わせ。
【請求項２】
該窓枠は合成樹脂製である、請求項１記載の組み合わせ。
【請求項３】
該建造物は主要部が木製である木造建造物であり、該固定枠は一対の木製管柱又は間柱、木製窓台及び木製まぐさを含んでいる、請求項１又は２記載の組み合わせ。
【請求項４】
該一対の側部材及び該上部材は、夫々、該管柱又は該間柱及び該まぐさの内周面と該一対の側部材及び該上部材の外周面との間に介在された連結片を介して該管柱又は該間柱及び該まぐさに固着され、該連結片は該固定枠の外側面を超えて外側に突出することがない、請求項３記載の組み合わせ。
【請求項５】
該連結片は該管柱又は該間柱及び該まぐさの内周面に連結される内側部と該一対の側部材及び該上部材の外周面に連結される外側部と有する金属製板状片から構成されている、請求項４記載の組み合わせ。
【請求項６】
該窓台の内周面と該下部材の外周面との間には台座部と水切り部とが一体に形成されている台座水切り部材が配設されており、該下部材は該台座部を介して該窓台に固着され、該水切り部は該窓台の外側面を超えて外側に突出している、請求項３から５までのいずれかに記載の組み合わせ。
【請求項７】
該窓台の内周面と該下部材の外周面との間に介在された台座を介して該下部材が該窓台に固着され、該固定枠の外側面を超えて外側に突出する水切りが該窓台及び／又は該下部材に固着されている、請求項３から５までのいずれかに記載の組み合わせ。
【発明の詳細な説明】
【技術分野】
【０００１】
本発明は、建造物の矩形固定枠とこれに固着された窓枠との組み合わせ、更に詳しくは、それに限定されるものではないが主要部が木製である木造建造物の矩形固定枠とこれに固着された合成樹脂製窓枠との組み合わせにして、木造建造物の断熱特性を充分良好なものにすることを可能にする組み合わせに関する。
【背景技術】
【０００２】
下記特許文献１及び２に開示されている如く、木造建造物の窓を規定する矩形固定枠、即ち一対の木製管柱又は間柱、木製窓台及び木製まぐさを含む矩形固定枠に固着される合成樹脂製窓枠は、一般に、外周面から延出した連結鍔を有し、かかる連結鍔が固定枠の外側面に締結ネジの如き適宜の連結手段によって固着される。そして、合成樹脂製窓枠の外側部は固定枠の外側面を越えて突出する。
【先行技術文献】
【特許文献】
【０００３】
【特許文献１】特開２００７−０９２３４５号公報
【特許文献２】特開２００５‐０３００１５号公報
【発明の概要】
【発明が解決しようとする課題】
【０００４】
特に寒冷地においては、建造物の断熱特性を可及的に向上せしめることが望まれ、建造物の外側面にも適宜の断熱材を配設することが少なくない。而して、上述したとおりの形態の窓枠が使用されている場合、窓枠の外側部は固定枠の外側面を越えて外側に突出している故に、窓枠の外側面の一部をも外観を損なうことなく且つ充分容易に断熱材で覆うことは実質上不可能であり、断熱材は窓枠の外周面よりも外周の部位に配設していた。従って、窓枠の外側面はその全体が、断熱材によって覆われることなく、そのまま露呈されていた。然るに、本発明者等の考察によれば、窓枠の外側面の一部も断熱材で覆うと、建造物の断熱特性が有意義に向上される。
【０００５】
本発明は上記事実に鑑みてなされたものであり、その主たる技術的課題は、窓枠の外側面の一部も外観を損なうことなく且つ困難を伴うことなく断熱材で覆われた、新規且つ改良された建造物の矩形固定枠とこれに固着された窓枠との組み合わせを提供することである。
【課題を解決するための手段】
【０００６】
本発明者等は、鋭意検討の結果、窓枠を構成する一対の側部材、上部材及び下部材の各々の外側面を固定枠の外側面と面一とし、一対の側部材及び上部材の各々の外側面を固定枠の外側面に連続して延在させ、そして固定枠の外側面と一対の側部材及び上部材の各々の外側面に連続して延在する断熱材を配設することによって、上記主たる技術的課題を達成することができることを見出した。
【０００７】
即ち、本発明によれば、上記主たる技術的課題を達成する組み合わせとして、
建造物の矩形固定枠と該固定枠に固着された窓枠との組み合わせにして、
該窓枠は一対の側部材、上部材及び下部材から構成され、
該一対の側部材、該上部材及び該下部材は該固定枠の内周面に固着され、
該一対の側部材、該上部材及び該下部材は同一の横断面形状を有し、且つ該一対の側部材、該上部材及び該下部材の各々の外側面は全体が連続して延在する単一平面であり、
該一対の側部材、該上部材及び該下部材の各々の該外側面は該固定枠の外側面と面一であり、
該一対の側部材及び該上部材の各々の該外側面は該固定枠の外側面に連続して延在し、
該固定枠の該外側面と該一対の側部材及び該上部材の各々の該外側面には連続して延在する断熱材が配設されている、
ことを特徴とする組み合わせが提供される。
【０００８】
好適実施形態においては、該窓枠は合成樹脂製であり、該建造物は主要部が木製である木造建造物であり、該固定枠は一対の木製管柱又は間柱、木製窓台及び木製まぐさを含んでいる。好ましくは、該一対の側部材及び該上部材は、夫々、該管柱又は該間柱及び該まぐさの内周面と該一対の側部材及び該上部材の外周面との間に介在された連結片を介して該管柱又は該間柱及び該まぐさに固着され、該連結片は該固定枠の外側面を超えて外側に突出することがない。該連結片は該管柱又は該間柱及び該まぐさの内周面に連結される内側部と該一対の側部材及び該上部材の外周面に連結される外側部と有する金属製板状片から構成されているのが望ましい。該窓台の内周面と該下部材の外周面との間には台座部と水切り部とが一体に形成されている台座水切り部材が配設されており、該下部材は該台座部を介して該窓台に固着され、該水切り部は該固定枠の外側面を越えて外側に突出しているのが好都合である。該窓台の内周面と該下部材の外周面との間に介在された台座を介して該下部材が該窓台に固着され、該下部材の外側面を越えて外側に突出する水切りが該窓台及び／又は該下部材に固着されているのも好都合である。
【発明の効果】
【０００９】
本発明の組み合わせにおいては、一対の側部材及び上部材の各々の外側面は固定枠の外側面と面一であり且つ一対の側部材及び上部材の各々の該外側面は該固定枠の外側面に連続して延在する。それ故に、外観を損なうことなく且つ充分容易に、固定枠の外側面と一対の側部材及び上部材の各々の外側面に連続して延在する断熱材を配設することができる。
【図面の簡単な説明】
【００１０】
【図１】本発明に従って構成された建造物の固定枠とこれに固着された窓枠との組み合わせの好適実施形態を示す横断面図。
【図２】図１に図示する組み合わせの縦断面図。
【図３】図１及び図２に図示する組み合わせにおいて窓枠を建造物の固定枠の管柱及びまぐさに固着するのに使用されている連結片を示す部分平面図。
【図４】窓枠を固定枠の窓台に固着するのに利用される部材の変形例を示す、図２と同様の縦断面図。
【発明を実施するための形態】
【００１１】
以下、添付図面を参照して、本発明に従って構成された建造物の固定枠とこれに固着された窓枠との組み合わせの好適実施形態について、更に詳細に説明する。
【００１２】
図１及び図２を参照して説明すると、図示の実施形態においては建造物（その一部のみを図示している）はその主要部が木製である木造建造物であり、全体を番号２で示す固定枠は、その両側部に配設された一対の木製管柱４（図１にその一方のみを図示している）、その下部に配設された木製窓台６（図２）及びその上部に配設された木製まぐさ８（図２）を含んでいる。
【００１３】
横断面形状が正方形である管柱４の外側面（図１において上側面）には構造用合板１０が配設されている。合板１０は管柱４の内周面（図１において左側面）を越えて突出している。管柱４の内側面（図１において下側面）には石膏ボード１２が配設されている。この石膏ボード１２は管柱４の内周面を越えて突出しており、その突出端部には管柱４の内周面（図１において左側面）に対向して位置する木製額縁１４が連結されている。管柱４の外周面（図１において右側面）には断熱材１８が配設されている。上記合板１０の外側面にも断熱材１６（断熱材１６については後に更に言及する）が配設されている。
【００１４】
横断面形状が長方形である窓台６の外側面（図２において左側面）には構造用合板２０が配設されている。合板２０の上端面は窓台６の実質上水平な内周面（図２において上側面）と整合せしめられている。窓台６の内側面（図２において右側面）には石膏ボード２２が配設されている。この石膏ボード２２は窓台６の内周面を越えて突出しており、その突出端には窓台６の内周面に対向して位置する木製額縁２４が連結されている。窓台６の外周面（図２において下側面）には断熱材２６が配設されている。上記合板２０の外側面（図２において左側面）にも断熱材２８が配設されている。
【００１５】
横断面形状が長方形であるまぐさ８の外側面（図２において左側面）には構造用合板３０が配設されている。合板３０の下端面はまぐさ８の内周面（図２において下側面）を越えて突出している。まぐさ８の内側面（図２において右側面）には石膏ボード３２が配設されている。この石膏ボード３２はまぐさ８の内周面を越えて突出しており、その突出端にはまぐさ８の内周面に対向して位置する木製額縁３４が連結されている。まぐさ８の外周面（図２において上側面）には断熱材３６が配設されている。上記合板３０の外側面（図２において左側面）にも断熱材３８（断熱材３８については後に更に言及する）が配設されている。
【００１６】
而して、建造物の上述したとおりの固定枠２（断熱材１６及び３８を除く）自体の構成は、本発明に従って構成された組み合わせの新規な特徴を構成するものではなく、周知の形態でよく、それ故に固定枠２の詳細な説明は本明細書においては省略する。
【００１７】
図１及び図２を参照して説明を続けると、全体を番号４０で示す図示の窓枠は、実質上鉛直に延びる一対の側部材４２（その一方を図１に図示している）並びに実質上水平に延びる下部材４４及び上部材４６（図２）から構成されている。側部材４２、下部材４４及び上部材４６は、硬質塩化ビニル樹脂の如き合成樹脂から押出成形される細長い押出製品を所要長さに切断することによって形成され、側部材４２、下部材４４及び上部材４６の横断面形状は同一である。下部材４４の両端は一対の側部材４２の下端に接続され、上部材４６の両端は一対の側部材４２の上端に接続され、かくして矩形固定枠２の形状に対応した矩形窓枠４０が形成される。図示の実施形態においては、側部材４２、下部材４４及び上部材４６は横断面形状が略長方形状の中空部材であり、外周壁４８、外側壁５０、内側壁５２及び内周壁５４を有する。側部材４２の外周壁４８は実質上鉛直に延在し、下部材４４及び上部材４６の外周壁４８は実質上水平に延在し、これらの外周壁４８の両側部には鍵状突起５６ａ及び５６ｂが付設されている。側部材４２の外側壁５０及び内側壁５２は実質上鉛直に延在し、下部材４４及び上部材４６の外側壁５０及び内側壁５２は実質上水平に延在している。内周壁５４には段差部が存在し、内周壁５４の内側部は外側部に対して外周方向に変位されている。内周壁５４の外側部には内周方向に突出する中空突出部５８が付設されている。内周壁５４の内側部には段差に対応して収容溝部が規定されている。外周壁４８、外側壁５０、内側壁５２及び内周壁５４で囲繞された空間内には複数個の補強壁が配設されている。図１及び図２に明確に図示する如く、一対の側部材４２、下部材４４及び上部材４６の外側面、即ち外側壁５０の外側面、は全体が連続して延在する単一平面であることが重要である。図１及び図２に二点鎖線で示す如く窓枠４０内には嵌め殺しガラス或いは適宜の障子Ｗが収容され、建造物の窓が規定される。窓枠４０と嵌め殺しガラス或いは障子との間には周知の形態でよいシール片（図示していない）が配設されている。嵌め殺しガラス或いは障子に配設されるガラスは、単層のガラス板から構成することもできるが、断熱性の向上の点から複数枚のガラス板を間隔をおいて積層した形態であるのが好都合である。
【００１８】
本発明に従って構成された組み合わせにおいては、窓枠４０は固定枠２の外側面（図１において上側面、図２において左側面）ではなくて内周面に固着されていることが重要である。
【００１９】
図示の実施形態においては、窓枠４０を構成する一対の側部材４２の外周面及び上部材４６の外周面は、連結片６０を介して、夫々、管柱４の内周面、及びまぐさ８の内周面に固着される。図１及び図２と共に図３を参照して説明すると、ステンレス鋼の如き適宜の金属板から形成することができる連結片６０は略平行四辺形である平坦な外側部６０ａと長方形状である平坦な内側部６０ｂとを有し、外側部６０ａと内側部６０ｂとはこれらに対して垂直に延在する連結部６０ｃによって連結されている。かような連結片６０は、外側部６０ａを図３に二点鎖線で示す状態にせしめて側部材４２及び上部材４６の一対の突起５６ａ及び５６ｂ間に挿入し、次いで図３に実線で示す状態に修正され、夫々、側部材４２の外周面と管柱４の内周面との間、上部材４６の外周面とまぐさ８の内周面との間に、好ましくは間隔をおいて複数個介在せしめられる。連結片６０の各々の外側部６０ａは、側部材４２の外周面又は上部材４６の外周面に対向して位置し、連結片６０の内側部６０ｂは介在ブロック６２を介して管柱４の内周面又はまぐさ８の内周面に対向して位置する。そして、連結片６０の外側部６０ａは締結ネジ６４によって側部材４２又は上部材４６の外周壁４８に連結され、連結片６０の内側部６０ｂは締結ネジ６６によって管柱４又はまぐさ８の内周面に連結される。図１及び図２から明確に理解されるとおり、一対の側部材４２が管柱４に所要とおりに連結されると、一対の側部材４２の外側面（外側壁５０の外側面）は固定枠２の外側面（合板１０の外側面）に連続して（一対の側部材４２の外側面と固定枠２の外側面との間に実質上間隙を形成することなく）延在し、そしてまた上部材４６がまぐさ８に所要とおりに連結されると、上部材４６の外側面（外側壁５０の外側面）は固定枠２の外側面（合板３０の外側面）に連続して（上部材４６の外側面と固定枠２の外側面との間に実質上間隙を形成することなく）延在する。
【００２０】
一方、窓枠４０を構成する下部材４４の外周面は、台座と水切りとが一体に形成された台座水切り部材６８を介して窓台６に固着されている。適宜の合成樹脂から押出成形することができる台座水切り部材６８は台座部６８ａと水切り部６８ｂとを有する。台座部６８ａは横断面形状が略長方形形状である中空体であり、下端内側には連結用突出部が形成されている。水切り部６８ｂは横断面形状が略平行四辺形状の中空体である。台座水切り部材６８の台座部６８ａは窓台６の内周面と窓枠４０を構成する下部材４４の外周面との間に介在せしめられ、下部材４４の一対の突起５６ａ及び５６ｂ間に位置する上面壁が締結ネジ７０によって下部材４４の外周壁４８に連結され、連結用突出部が締結ネジ７２によって窓台６に連結され、かくして下部材４４が窓台６に固着される。台座水切り部材６８の水切り部６８ｂは固定枠２の外側面を越えて外方に向かって下方に幾分傾斜して突出する。台座水切り部材６８の水切り部６８ｂの両端には合成樹脂製でよい閉塞部材７４（図１）が固定されている。窓枠４０の外縁部と建造物との間にはシール用コーキング７６が配設されている。
【００２１】
図１及び図２を参照することによって明確に理解されるとおり、窓枠４０の外側面は固定枠２の外側面（図示の実施形態においては、合板１０、２０及び３０の外側面）と面一であり、そしてまた上述したとおり一対の側部材４２の外側面（外側壁５０の外側面）は固定枠２の外側面（合板１０の外側面）に連続して延在し、上部材４６の外側面（外側壁５０の外側面）は固定枠２の外側面（合板３０の外側面）に連続して延在する。それ故に、固定枠２の外側面から窓枠４０を構成する一対の側部材４２及び上部材４６の外側面の一部（一対の側部材４２においては外周側半部、上部材４６においては上側半部）に連続して延在する断熱材１６及び３８を、外観を劣化せしめることなく且つ困難を伴うことなく配設することができる。
【００２２】
図４は、窓枠４０を構成する下部材４４と窓台６との連結様式の変形例を図示している。この変形例においては、下部材４４を窓台６に連結するための台座７８と水切り８０とが一体ではなくて別個に形成されている。ステンレス鋼板又は亜鉛めっき鋼鈑等から形成することができる台座７８はチャンネル状部７８ａとこのチャンネル状部７８ａの片側片の下端から内側に延出する延出部７８ｂを有する。チャンネル状部７８ａの底壁部を下部材４４の外周壁４８の突起５６ａ及び５６ｂ間に位置せしめて、締結ネジ８２によってチャンネル上部７８ａの底壁部を外周壁４８に連結し、締結ネジ８４によって延出部７８ｂを窓台６に連結し、かくして下部材４４が窓台６に固着される。適宜の合成樹脂から形成することができる水切り８０は外側に延出する主部８０ａ、上方に突出する中空突出部８０ｂ及び下方に垂下する垂下片８０ｃを含み、中空突出部８０ｂには蓋片８６が着台自在に装着されている。かような水切り８０は蓋片８６を離脱して締結ネジ８８によって中空突出部８０ｂを下部材４４に連結すると共に、締結ネジ９０によって垂下片８０ｃを窓台６に連結することによって所要位置に固定される。図４に図示する変形例の上述した構成以外は、図１乃至図３に図示する実施形態と実質上同一である。
【符号の説明】
【００２３】
２：固定枠
４：管柱
６：窓台
８：まぐさ
１６：断熱材
１８：断熱材
４０：窓枠
４２：窓枠の側部材
４４：窓枠の下部材
４６：窓枠の上部材
６０：連結片
６８：台座水切り部材
７８：台座
８０：水切り
【図１】
0006867735.tif 000002
【図２】
0006867735.tif 000003
【図３】
0006867735.tif 000004
【図４】
0006867735.tif 000005